(57)【要約】【課題】レリーズタイムラグの増大を回避しつつライブビューなどの動画撮影時における消費電力を低減することが可能な撮像装置を提供する。【解決手段】撮像装置は、後幕７３と当該後幕７３を走行させる後幕駆動部材８３と当該後幕駆動部材８３を吸着する吸着力を発生させる保持手段とを有するシャッタ装置７を備える。撮像装置の制御手段は、後幕駆動部材８３が保持手段の永久磁石の磁力に基づく吸着力により当該保持手段に吸着されて所定位置に保持され後幕７３が露光開始位置に維持された状態で、シャッタ装置７の開口部ＯＰを通過した被写体像に関する時系列の画像を撮像素子に取得させる。また、当該制御手段は、所定のタイミングで電磁石に対する通電を開始して、永久磁石の磁束を打ち消す向きの磁束を生成して吸着力を低減し後幕駆動部材８３の保持を解除し、後幕７３を露光開始位置から露光終了位置へと走行させる。【選択図】図７
2010152000.tif 000002
【特許請求の範囲】
【請求項１】
撮像装置であって、
シャッタ装置と、
前記シャッタ装置の露光用の開口部を通過した被写体像に関する時系列の画像を順次に取得する撮像素子と、
前記シャッタ装置の動作と前記撮像素子の動作とを制御する制御手段と、
を備え、
前記シャッタ装置は、
露光開始位置から露光終了位置へと走行した後に前記開口部を覆う後幕と、
前記後幕を前記露光開始位置から前記露光終了位置へと走行させる後幕駆動部材と、
前記露光開始位置から前記露光終了位置へと向かう向きに前記後幕を移動させる付勢力を、前記後幕駆動部材に対して付与する付勢力付与手段と、
永久磁石の磁力に基づく吸着力により、前記後幕駆動部材を前記付勢力に抗して保持する保持手段と、
電磁石への通電により前記永久磁石の磁束を打ち消す向きの磁束を生成して前記吸着力を低減し前記後幕駆動部材の保持を解除する保持解除手段と、
を有し、
前記制御手段は、
前記後幕駆動部材が前記永久磁石の磁力に基づく吸着力により前記保持手段に吸着されて所定位置に保持され前記後幕が前記露光開始位置に維持された状態で、前記開口部を通過した被写体像に関する前記時系列の画像を前記撮像素子に取得させ、
本撮影画像に関する撮影指令付与後の所定のタイミングで前記電磁石に対する通電を開始して前記後幕駆動部材の保持を解除し、前記後幕を前記付勢力により前記露光開始位置から前記露光終了位置へと走行させる、撮像装置。
【請求項２】
請求項１に記載の撮像装置において、
前記シャッタ装置は、
前記後幕駆動部材を前記所定位置に移動させることによって、前記付勢力を増大するチャージ部材、
をさらに有し、
前記保持手段の吸着面は、前記後幕駆動部材が前記所定位置に存在するときに前記後幕駆動部材の被吸着部材に対向する位置に設けられ、
前記チャージ部材は、前記後幕駆動部材を前記所定位置にまで移動させて、前記被吸着部材を前記永久磁石の磁力で前記吸着面に吸着させ前記後幕駆動部材を前記永久磁石の磁力で前記所定位置に保持させる、撮像装置。
【請求項３】
請求項２に記載の撮像装置において、
前記チャージ部材は、前記後幕駆動部材を前記所定位置に移動させることによって、前記付勢力をチャージした後、所定の退避位置に移動し、
前記保持手段は、前記チャージ部材の前記所定の退避位置への移動開始時点から前記前記本撮影画像の画素データの読出処理の終了時点までを含む期間において、前記後幕駆動部材を前記永久磁石の磁力で前記所定位置に保持する、撮像装置。
【請求項４】
請求項３に記載の撮像装置において、
前記制御手段は、前記本撮影画像に関する構図決め動作が開始されてから、当該本撮影画像に関する露光動作が完了し次の本撮影画像に関する構図決め動作が開始されるまでの期間において、前記後幕を走行させるときのみ前記電磁石に対して通電する、撮像装置。
【請求項５】
請求項１に記載の撮像装置において、
前記制御手段は、絞り優先モードにおいて絞り値が撮影レンズの開放値に設定されたときには、操作者からの撮影開始指示に応答して、前記撮像素子に関する本撮影用画像の露光動作を直ちに開始させるとともに、当該露光動作の開始から所定時間経過後に前記電磁石への通電を開始して前記後幕の走行を開始する、撮像装置。
【請求項６】
撮像装置であって、
シャッタ装置と、
前記シャッタ装置の露光用の開口部を通過した被写体像に関する時系列の画像を順次に取得する撮像素子と、
前記シャッタ装置の動作と前記撮像素子の動作とを制御する制御手段と、
を備え、
前記シャッタ装置は、
露光開始位置から露光終了位置へと走行した後に前記開口部を覆う後幕と、
前記後幕を前記露光開始位置から前記露光終了位置へと走行させる後幕駆動部材と、
前記露光開始位置から前記露光終了位置へと向かう向きに前記後幕を移動させる付勢力を、前記後幕駆動部材に対して付与する付勢力付与手段と、
永久磁石と電磁石とを有し、前記永久磁石の磁力に基づく吸着力により前記後幕駆動部材を前記付勢力に抗して保持するとともに、前記電磁石への通電により前記永久磁石の磁束を打ち消す向きの磁束を生成して前記吸着力を低減し前記後幕駆動部材の保持を解除する吸着力調整手段と、
を有し、
前記制御手段は、
前記後幕駆動部材が前記永久磁石の磁力に基づく吸着力により前記保持手段に吸着されて所定位置に保持され前記後幕が前記露光開始位置に維持された状態で、前記開口部を通過した被写体像に関する前記時系列の画像を前記撮像素子に取得させ、
本撮影画像に関する撮影指令付与後の所定のタイミングで前記電磁石に対する通電を開始して前記後幕駆動部材の保持を解除し、前記後幕を前記付勢力により前記露光開始位置から前記露光終了位置へと走行させる、撮像装置。
【発明の詳細な説明】
【技術分野】
【０００１】
本発明は、デジタルカメラなどの撮像装置に関する。
【背景技術】
【０００２】
デジタルカメラなどの撮像装置に用いられるシャッタ装置としては、特許文献１に記載のものが存在する。特許文献１に記載のシャッタ装置は、先幕と後幕との双方を有しているが、ここでは後幕の動作を中心に説明する。
【０００３】
このようなシャッタ装置では、撮影時には、後幕を駆動する駆動レバー（後幕駆動部材）がカム部材（チャージ部材）によって所定位置にまで回転移動され、当該駆動レバーの駆動用のバネがチャージされる。
【０００４】
そして、当該駆動レバーは、後幕を露光開始位置に移動させた時点で電磁石によって保持される。具体的には、駆動レバーの回転移動に伴って後幕が露光開始位置に移動した後に、電磁石に対する通電が開始される。なお、当該電磁石は、後幕が露光開始位置に存在するときに、駆動レバーの鉄片に対向する位置に設けられる。さらに、この通電開始に応じて、当該鉄片が電磁石で吸着され、チャージバネの付勢力は電磁石の吸着力によって相殺される。このような電磁石の吸着作用により、当該駆動レバーが所定位置に保持されるとともに後幕は露光開始位置に維持される。なお、当該駆動レバーを当該所定位置にまで移動させたカム部材は、後幕の走行動作（次述）を妨げないように、適宜の退避位置にまで移動される。
【０００５】
その後、先幕の走行後に、電磁石に対する通電を停止することによって、後幕が走行する。具体的には、この通電停止に応じてチャージバネの付勢力への対抗力（電磁的な吸着力）が消滅するため、当該付勢力により駆動レバーが移動を開始し、当該移動動作に伴って、後幕が露光開始位置から露光終了位置へ向けて移動する。
【０００６】
また、特許文献２においては、後幕を露光開始位置に移動させた駆動レバーを、電磁石の磁力ではなく機械的な保持機構による押圧力を用いて保持する技術が記載されている。具体的には、駆動レバーに関するバネ力をチャージするチャージ部材（セット部材）が当該駆動レバーに接触して押圧力を加えることによって、駆動レバーが保持される。また、その後に後幕を駆動させる際には、駆動レバーによる保持を解除するための動作（詳細にはチャージ部材の回転動作）が、当該後幕の駆動動作に先行して実行される。
【０００７】
【特許文献１】実公平６−２６８９５号公報
【特許文献２】特開２００３−１５１９０号公報
【発明の開示】
【発明が解決しようとする課題】
【０００８】
ところで、近年、一眼レフタイプのデジタルカメラにおいて、ライブビュー機能を搭載するものが存在する。
【０００９】
このようなライブビュー機能を実現する技術としては、メインイメージャとは別個にサブイメージャを設け、当該サブイメージャでライブビューを実現する技術が存在する。また、メインイメージャによって取得される時系列の画像をライブビュー画像として用いる技術も存在する。特に、後者の技術においては、ライブビュー時にはシャッタ装置の露光用の開口部を開放状態に維持することが求められる。
【００１０】
特許文献１に記載のシャッタ装置を、後者のライブビュー技術に用いる場合には、次のような問題が生じる。具体的には、上記のようなシャッタ装置を用いてライブビューを実現する場合には、後幕を露光開始位置に維持し続けるために、電磁石に通電し続けることが求められる。このように、ライブビュー時において常に通電することが求められる。したがって、消費電力が増大するという問題が存在する。
【００１１】
また、特許文献２のように機械的な保持機構を用いて押圧力により後幕駆動部材を保持部することによれば、消費電力の増大を回避することは可能である。しかしながら、特許文献２の技術においては、当該機械的な保持機構による保持を解除するための時間をレリーズボタン押下後に設けることを要するため、所謂レリーズタイムラグが長くなるという問題が存在する。
【００１２】
そこで、この発明の課題は、レリーズタイムラグの増大を回避しつつライブビューなどの動画撮影時における消費電力を低減することが可能な撮像装置を提供することにある。
【課題を解決するための手段】
【００１３】
本発明の第１の側面は、撮像装置であって、シャッタ装置と、前記シャッタ装置の露光用の開口部を通過した被写体像に関する時系列の画像を順次に取得する撮像素子と、前記シャッタ装置の動作と前記撮像素子の動作とを制御する制御手段とを備え、前記シャッタ装置は、露光開始位置から露光終了位置へと走行した後に前記開口部を覆う後幕と、前記後幕を前記露光開始位置から前記露光終了位置へと走行させる後幕駆動部材と、前記露光開始位置から前記露光終了位置へと向かう向きに前記後幕を移動させる付勢力を、前記後幕駆動部材に対して付与する付勢力付与手段と、永久磁石の磁力に基づく吸着力により、前記後幕駆動部材を前記付勢力に抗して保持する保持手段と、電磁石への通電により前記永久磁石の磁束を打ち消す向きの磁束を生成して前記吸着力を低減し前記後幕駆動部材の保持を解除する保持解除手段とを有し、前記制御手段は、前記後幕駆動部材が前記永久磁石の磁力に基づく吸着力により前記保持手段に吸着されて所定位置に保持され前記後幕が前記露光開始位置に維持された状態で、前記開口部を通過した被写体像に関する前記時系列の画像を前記撮像素子に取得させ、本撮影画像に関する撮影指令付与後の所定のタイミングで前記電磁石に対する通電を開始して前記後幕駆動部材の保持を解除し、前記後幕を前記付勢力により前記露光開始位置から前記露光終了位置へと走行させるものである。
【００１４】
本発明の第２の側面は、撮像装置であって、シャッタ装置と、前記シャッタ装置の露光用の開口部を通過した被写体像に関する時系列の画像を順次に取得する撮像素子と、前記シャッタ装置の動作と前記撮像素子の動作とを制御する制御手段とを備え、前記シャッタ装置は、露光開始位置から露光終了位置へと走行した後に前記開口部を覆う後幕と、前記後幕を前記露光開始位置から前記露光終了位置へと走行させる後幕駆動部材と、前記露光開始位置から前記露光終了位置へと向かう向きに前記後幕を移動させる付勢力を、前記後幕駆動部材に対して付与する付勢力付与手段と、永久磁石と電磁石とを有し、前記永久磁石の磁力に基づく吸着力により前記後幕駆動部材を前記付勢力に抗して保持するとともに、前記電磁石への通電により前記永久磁石の磁束を打ち消す向きの磁束を生成して前記吸着力を低減し前記後幕駆動部材の保持を解除する吸着力調整手段とを有し、前記制御手段は、前記後幕駆動部材が前記永久磁石の磁力に基づく吸着力により前記保持手段に吸着されて所定位置に保持され前記後幕が前記露光開始位置に維持された状態で、前記開口部を通過した被写体像に関する前記時系列の画像を前記撮像素子に取得させ、本撮影画像に関する撮影指令付与後の所定のタイミングで前記電磁石に対する通電を開始して前記後幕駆動部材の保持を解除し、前記後幕を前記付勢力により前記露光開始位置から前記露光終了位置へと走行させるものである。
【発明の効果】
【００１５】
本発明によれば、レリーズタイムラグの増大を回避しつつライブビューなどの動画撮影時における消費電力を低減することが可能である。
【発明を実施するための最良の形態】
【００１６】
以下、発明を実施するための最良の形態（実施形態とも称する）について説明する。なお、説明は以下の順序、すなわち、
１．撮像装置の概要、
２．撮像装置の機能ブロック、
３．撮影動作の概要、
４．シャッタ装置の構成、
５．シャッタ装置の動作、
６．その他、
の順序で行う。
【００１７】
＜１．撮像装置の概要＞
図１および図２は、本発明の実施形態に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。
【００１８】
図１に示すように、撮像装置１は、カメラ本体部（カメラボディ）２を備えている。このカメラ本体部２に対して、交換式の撮影レンズユニット（交換レンズ）３が着脱可能である。
【００１９】
撮影レンズユニット３は、主として、鏡胴３ｃならびに鏡胴３ｃの内部に設けられるレンズ群３ｅ（図３参照）及び絞り等によって構成される。レンズ群３ｅ（撮影光学系）には、光軸方向に移動することによって焦点位置を変更するフォーカスレンズ等が含まれている。
【００２０】
カメラ本体部２は、撮影レンズユニット３が装着される円環状のマウント部Ｍｔを正面略中央に備えている。
【００２１】
また、カメラ本体部２は、その正面右上部にモード設定ダイヤル１５を備えている。モード設定ダイヤル１５を操作することによれば、カメラの各種モード（本撮影画像を撮影する「撮影モード」、撮影した画像を再生する「再生モード」、および外部機器との間でデータ交信を行う「通信モード」等を含む）の設定動作（切替動作）を行うことが可能である。
【００２２】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池などの電池が収納されており、カード収納室には撮影画像の画像データを記録するためのメモリカード９０（図３参照）が着脱可能に収納されるようになっている。
【００２３】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＦ制御動作等）が行われる。また、レリーズボタン１１がさらに押し込まれてＳ２状態になると、当該本撮影画像の撮影動作が行われる。詳細には、撮像素子５（後述）を用いて被写体像（被写体の光像）に関する露光動作が行われ、その露光動作によって得られた画像信号に所定の画像処理を施す一連の動作が実行される。このように、撮像装置１は、レリーズボタン１１が半押し状態Ｓ１にされると撮影準備指令が付与されたものとみなし、レリーズボタン１１が全押し状態Ｓ２にされると撮影指令が付与されたものとみなす。
【００２４】
図２において、カメラ本体部２の背面略中央上部には、ファインダ窓（接眼窓）１０が設けられている。撮影者は、ファインダ窓１０を覗くことによって、撮影レンズユニット３から導かれた被写体の光像を視認して構図決定を行うことができる。すなわち、光学ファインダを用いて構図決めを行うことが可能である。
【００２５】
図２において、カメラ本体部２の背面の略中央には、背面モニタ１２が設けられている。背面モニタ１２は、例えばカラー液晶ディスプレイ（ＬＣＤ）として構成される。
【００２６】
背面モニタ１２は、撮影条件等を設定するためのメニュー画面を表示すること、および再生モードにおいてメモリカード９０に記録された撮影画像を再生表示することなどが可能である。
【００２７】
また、背面モニタ１２は、撮像素子５（後述）によって取得された時系列の複数の画像（すなわち動画像）をライブビュー画像として順次に表示することも可能である。この実施形態に係る撮像装置１においては、背面モニタ１２に表示されるライブビュー画像を用いて構図決めを行うことが可能である。
【００２８】
背面モニタ１２の左上部には電源スイッチ（メインスイッチ）１６が設けられている。電源スイッチ１６は２点スライドスイッチからなり、接点を左方の「ＯＦＦ」位置に設定すると、電源がオフになり、接点の右方の「ＯＮ」位置に設定すると、電源がオンになる。
【００２９】
背面モニタ１２の右側には方向選択キー１８が設けられている。この方向選択キー１８は円形の操作ボタンを有し、この操作ボタンにおける上下左右の４方向の押圧操作と、右上、左上、右下及び左下の４方向の押圧操作とが、それぞれ検出されるようになっている。なお、方向選択キー１８は、上記８方向の押圧操作とは別に、中央部のプッシュボタンの押圧操作も検出されるようになっている。
【００３０】
＜２．撮像装置の機能ブロック＞
つぎに、図３を参照しながら、撮像装置１の機能の概要について説明する。図３は、撮像装置１の機能構成を示すブロック図である。
【００３１】
図３に示すように、撮像装置１は、ＡＦモジュール２０、全体制御部１０１、フォーカス制御部１２１、ミラー制御部１２２、シャッタ制御部１２３、およびデジタル信号処理回路５３等を備える。
【００３２】
全体制御部１０１は、マイクロコンピュータとして構成され、主にＣＰＵ、メモリ、及びＲＯＭ（例えばＥＥＰＲＯＭ）等を備える。全体制御部１０１は、ＲＯＭ内に格納されるプログラムを読み出し、当該プログラムをＣＰＵで実行することによって、各種機能を実現する。全体制御部１０１は、ＡＦ動作、シャッタ装置の動作、および撮像素子の動作等を統括的に制御する。
【００３３】
ＡＦモジュール２０は、ミラー機構６を介して進入してきた光を用いて、位相差方式の合焦状態検出手法により被写体の合焦状態を検出することが可能である。全体制御部１０１は、ＡＦモジュール２０によって検出される被写体の合焦状態に応じて、フォーカス制御部１２１を用いてＡＦ動作を実現する。特に、位相差方式のＡＦモジュール２０を用いることによれば、非常に高速に合焦レンズ位置を求めることができる。
【００３４】
フォーカス制御部１２１は、全体制御部１０１と協働して合焦制御動作を実現する。具体的には、フォーカス制御部１２１は、全体制御部１０１から入力される信号に基づいて制御信号を生成し、撮影レンズユニット３のレンズ群３ｅに含まれるフォーカスレンズを移動する。また、フォーカスレンズの位置は、撮影レンズユニット３のレンズ位置検出部３ｄによって検出され、フォーカスレンズの位置を示すデータが全体制御部１０１に送られる。このように、フォーカス制御部１２１は、フォーカスレンズの光軸方向の動き等を制御する。
【００３５】
また、ミラー制御部１２２は、ミラー機構６が光路から退避した状態（ミラーアップ状態）とミラー機構６が光路を遮断した状態（ミラーダウン状態）との状態切替を制御する。ミラー制御部１２２は、全体制御部１０１から入力される信号に基づいて制御信号を生成することによって、ミラーアップ状態とミラーダウン状態とを切り替える。
【００３６】
シャッタ制御部１２３は、全体制御部１０１から入力される信号に基づいて制御信号を生成することによって、シャッタ装置７の動作（特に駆動動作等）を制御する。
【００３７】
シャッタ装置７は、撮像素子５の被写体側において撮像素子５の近接位置に配置される。シャッタ装置７は、いわゆるフォーカル・プレーン・シャッタである。このシャッタ装置７は、撮影レンズユニット３の光軸に対して略垂直となるように配置される。詳細には、シャッタ装置７は、当該シャッタ装置７の開口部ＯＰ（後述）の中心位置が撮影レンズユニット３の光軸に一致するように配置される。
【００３８】
また、シャッタ装置７の背面側には、撮像素子５が撮影レンズユニット３の光軸に対して略垂直に配置される。
【００３９】
撮像素子（ここではＣＭＯＳセンサ）５は、撮影レンズユニット３からの被写体の光像（被写体像）を光電変換作用により電気的信号に変換する受光素子であり、本撮影画像に係る画像信号（記録用の画像信号）を生成して取得する。また、撮像素子５は、ライブビュー用の画像をも取得する。
【００４０】
撮像素子５は、全体制御部１０１からの駆動制御信号（蓄積開始信号および蓄積終了信号）に応答して、受光面に結像された被写体像の露光（光電変換による電荷蓄積）を行い、当該被写体像に係る画像信号を生成する。また、撮像素子５は、全体制御部１０１からの読出制御信号に応答して、当該画像信号を信号処理部５１へ出力する。
【００４１】
撮像素子５で取得された画像信号に対して信号処理部５１により所定のアナログ信号処理が施されると、当該アナログ信号処理後の画像信号はＡ／Ｄ変換回路５２によってデジタル画像データ（画像データ）に変換される。この画像データは、デジタル信号処理回路５３に入力される。
【００４２】
デジタル信号処理回路５３は、Ａ／Ｄ変換回路５２から入力される画像データに対してデジタル信号処理を行い、撮像画像に係る画像データを生成する。デジタル信号処理回路５３は、黒レベル補正回路、ホワイトバランス（ＷＢ）回路、γ補正回路等を備え、各種のデジタル画像処理を施す。なお、デジタル信号処理回路５３によって処理された画像信号（画像データ）は、画像メモリ５５に格納される。画像メモリ５５は、生成された画像データを一時的に記憶するための、高速アクセス可能な画像メモリであり、複数フレーム分の画像データを記憶可能な容量を有する。
【００４３】
本撮影時には、画像メモリ５５に一時記憶される画像データは、全体制御部１０１において適宜画像処理（圧縮処理等）が施された後、メモリカード９０に記憶される。
【００４４】
また、ライブビュー時においては、撮像素子５により取得され画像メモリ５５に一時記憶される時系列の画像（ライブビュー画像）が、背面モニタ１２に順次に表示される。
【００４５】
＜３．撮影動作の概要＞
上述したように、この撮像装置１においては、ファインダ光学系等で構成される光学ファインダ（光学ビューファインダ（ＯＶＦ）とも称される）を用いて構図決め（フレーミング）を行うことが可能である。
【００４６】
また、この撮像装置１においては、背面モニタ１２に表示されるライブビュー画像を用いて構図決めを行うことも可能である。なお、背面モニタ１２を利用して実現されるファインダ機能は、被写体の光像を電子データに変換した後に可視化するものであることから電子ビューファインダ（ＥＶＦ）とも称される。
【００４７】
ＯＶＦによる構図決めモード（ＯＶＦモード）とＥＶＦによる構図決めモード（ＥＶＦモード）とは適宜の切換スイッチ（不図示）によって切り換えられる。
【００４８】
図４および図５は、撮像装置１の断面図である。図４は、ミラーダウン状態を示しており、図５はミラーアップ状態を示している。
【００４９】
図４および図５に示すように、撮影レンズユニット３から撮像素子５に至る光路（撮影光路）上にはミラー機構６が設けられている。ミラー機構６は、撮影光学系からの光を上方に向けて反射する主ミラー６ａ（主反射面）を有している。この主ミラー６ａは、例えばその一部または全部がハーフミラーとして構成され、撮影光学系からの光の一部を透過する。また、ミラー機構６は、主ミラー６ａを透過した光を下方に反射させるサブミラー６ｂ（副反射面）をも有している。サブミラー６ｂで下方に反射された光は、ＡＦモジュール２０へと導かれて入射し、位相差方式のＡＦ動作に利用される。
【００５０】
ＯＶＦモードにおいては、レリーズボタン１１が全押し状態Ｓ２にされる前まで（すなわち構図決め時において）、ミラー機構６はミラーダウン状態となるように配置される（図４）。そして、この際には、撮影レンズユニット３からの被写体像は、主ミラー６ａで上方に反射され観察用光束としてペンタプリズム６５に入射し、ペンタプリズム６５において更に反射され、接眼レンズ６７およびファインダ窓１０を通過して、撮影者の眼に到達する。このようにして、光学ビューファインダ（ＯＶＦ）を用いた構図決め動作が行われる。
【００５１】
その後、レリーズボタン１１が全押し状態Ｓ２にされると、ミラー機構６はミラーアップ状態となるように駆動され、露光動作が開始される（図５参照）。具体的には、図５に示すように、露光時には、ミラー機構６は、撮影光路から退避する。詳細には、撮影光学系からの光（被写体像）を遮らないように主ミラー６ａとサブミラー６ｂとが上方に退避し、撮影レンズユニット３からの光が、主ミラー６ａで反射されることなく進行して、シャッタ装置７の開放期間に合わせて撮像素子５に到達する。撮像素子５は、光電変換によって、受光した光束に基づいて被写体の画像信号を生成する。このように、被写体からの光束（被写体像）が撮影レンズユニット３を通過して撮像素子５に導かれることによって、被写体に係る撮影画像（撮影画像データ）が得られる。
【００５２】
一方、ＥＶＦモード（ライブビューモードとも称する）においては、次のような動作が実行される。
【００５３】
具体的には、レリーズボタン１１が全押し状態Ｓ２にされる前まで（すなわち構図決め時において）、ミラー機構６はミラーアップ状態となるように配置される（図５）。そして、この際には、撮影レンズユニット３からの被写体像は、主ミラー６ａで反射されることなくそのまま直進して撮像素子５に入射する。また、ライブビュー期間中においては、シャッタ装置７の開口部ＯＰは開放状態で維持されており、当該開口部ＯＰを通過した被写体像が撮像素子５に到達する。
【００５４】
そして、撮像素子５は、当該撮像素子５に入射した被写体像に基づいて、被写体像に係る時系列の画像（ライブビュー画像）を順次に取得する。具体的には、撮像素子５は、微小時間間隔（例えば、１／６０秒）で複数の画像を順次に生成する。そして、取得された時系列の画像は背面モニタ１２において順次に表示される。これによって、撮影者は、背面モニタ１２に表示される動画像（ライブビュー画像）を視認し、当該動画像を用いて構図決めを行うことが可能になる。このようにしてライブビュー画像を用いた構図決め動作が実行される。
【００５５】
その後、レリーズボタン１１が全押し状態Ｓ２にされると、電子先幕（後述）とメカ後幕（後述）とが走行し、露光動作が実行される。そして、シャッタ装置７の開放期間に撮像素子５に到達した被写体像に基づいて、撮像素子５における光電変換作用により、被写体の画像信号が生成される。このようにして、被写体からの光束（被写体像）が撮影レンズユニット３を通過して撮像素子５に導かれることによって、被写体に係る本撮影画像（撮影画像データ）が得られる。更に、その後、ライブビュー表示が再開される。
【００５６】
＜４．シャッタ装置の構成＞
図６は、シャッタ装置７の構成を示す正面図であり、図７は、シャッタ装置７の構成を示す斜視図である。なお、図７においては、駆動機構８０（次述）の内部構成を示すために、他の一部の部品（板状部材７１ｃ等）が省略されて示されている。
【００５７】
撮像装置１は、ＥＶＦモードにおいては、シャッタ装置７における先幕として、いわゆる「電子先幕」を利用する。例えば、撮像素子５における所定単位（例えばライン）ごとのリセット動作を所定方向に順次に実行していく動作が、電子先幕の「走行動作」に相当する。そして、「走行中の電子先幕」の先端位置を追いかけるように、機械的な後幕が走行することによって、微小期間における露光動作が実現される。このとき、撮像素子（例えばＣＭＯＳ）５内の或る画素に注目すると、当該撮像素子５におけるリセット動作直後の時刻Ｔ１から、「後幕」が当該画素を覆って遮光する時刻Ｔ２までの期間ＴＭ（＝Ｔ２−Ｔ１）にわたって、当該画素に関する露光動作が行われる。この期間ＴＭの長さ（例えば、１／１００秒）がシャッタスピードに対応する。
【００５８】
ただし、このシャッタ装置７は、機械的な先幕（メカ先幕）をも備えている。すなわち、シャッタ装置７は、機械的な先幕と機械的な後幕との双方を備えている。この機械的な先幕７２（後述）は、ＯＶＦモードにおいては、一般的な先幕（メカ先幕）としての動作を実行する。一方、ＥＶＦモードにおいては、当該先幕７２は、ＯＶＦモードにおける一般的な先幕（メカ先幕）としての動作とは異なり、後述するように露光動作中の多重露光防止動作を実行する。
【００５９】
図６および図７に示すように、シャッタ装置７は、シャッタ地板７１ａと、先羽根群７２（７２ａ，７２ｂ，７２ｃ）と、後羽根群７３（７３ａ，７３ｂ，７３ｃ）と、アーム７４ａ，７４ｂ，７５ａ，７５ｂとを備える。また、シャッタ装置７は、シャッタ地板７１ａの裏側に、シャッタ地板７１ａと略同形状の補助地板７１ｂをも備えている。両地板７１ａ，７１ｂは、所定の間隙を有する状態で対向して設けられる。両地板７１ａ，７１ｂの当該間隙は、後羽根群７３ａ，７３ｂ，７３ｃ等が収容される空間であるため、「羽根室」とも称される。
【００６０】
シャッタ地板７１ａは、略中央に露光用の開口部ＯＰを有している。同様に、補助地板７１ｂも、略中央に露光用の開口部ＯＰを有している。シャッタ地板７１ａの開口部ＯＰと補助地板７１ｂの開口部ＯＰとは、略同形状（略長方形形状）を有するとともに互いに対応する位置に設けられる。これらの開口部は、シャッタ装置７の組立状態では一体化してシャッタ装置７における露光用の開口部ＯＰを形成する。
【００６１】
また、シャッタ地板７１ａ，７１ｂには、２つの円弧状の長孔ＨＬ２，ＨＬ３（図７参照）が設けられている。長孔ＨＬ２は、軸ＡＸ２を中心とする円弧に沿って設けられており、長孔ＨＬ３は、軸ＡＸ３を中心とする円弧に沿って設けられている。
【００６２】
シャッタ地板７１ａと補助地板７１ｂとの間には、後羽根群７３ａ，７３ｂ，７３ｃが設けられている。後羽根群７３ａ，７３ｂ，７３ｃは、それぞれ、遮光性を有する薄板状部材である。これらの後羽根群７３ａ，７３ｂ，７３ｃは、「後幕」を構成する。なお、ここでは、３枚の後羽根群７３ａ，７３ｂ，７３ｃによって「後幕」が構成される場合を例示するが、これに限定されず、２枚以下或いは４枚以上の羽根によって後幕が構成されるようにしてもよい。
【００６３】
後羽根群７３ａ，７３ｂ，７３ｃ（後幕７３とも称する）は、いずれも、アーム７５ａに回転可能に結合されるとともに、アーム７５ｂにも回転可能に結合される。アーム７５ａは軸ＡＸ７（図６参照）を中心に回動可能であり、アーム７５ｂは軸ＡＸ８を中心に回動可能である。なお、ここでは軸ＡＸ７は軸ＡＸ３（後述）と同じ軸である。
【００６４】
図６に示すように、アーム７５ａとアーム７５ｂとが所定の位置に存在するときには、後羽根群７３ａ，７３ｂ，７３ｃで構成される後幕が開口部ＯＰを閉鎖しており、後幕による「開口部ＯＰの閉鎖状態」が実現される。一方、この状態から、アーム７５ａが軸ＡＸ７を中心に反時計回りに回転すると、アーム７５ｂも軸ＡＸ８を中心に反時計回りに回転し、図７に示されるように、後羽根群７３ａ，７３ｂ，７３ｃで構成される後幕が開口部ＯＰから退避する。すなわち、後幕による「開口部ＯＰの開放状態」が実現される。また逆に、図７に示す状態から、アーム７５ａが軸ＡＸ７を中心に時計回りに回転すると、アーム７５ｂも軸ＡＸ８を中心に時計回りに回転し、図６の「開口部ＯＰの閉鎖状態」に移行する。
【００６５】
なお、図６における各後羽根群７３ａ，７３ｂ，７３ｃの位置を「露光終了位置」とも称し、図７における各後羽根群７３ａ，７３ｂ，７３ｃの位置を「露光開始位置」とも称する。「後幕」は、露光開始位置から露光終了位置へと走行した後には開口部ＯＰを覆い（図６）、露光終了位置から露光開始位置へと走行した後には開口部ＯＰを開放する（図７）。換言すれば、露光開始位置においては開口部ＯＰが後幕によって覆われておらず開放されており、露光終了位置においては開口部ＯＰが後幕によって覆われている。
【００６６】
また、シャッタ地板７１ａと補助地板７１ｂとの間には、先羽根群７２ａ，７２ｂ，７２ｃも設けられている。先羽根群７２ａ，７２ｂ，７２ｃは、それぞれ、遮光性を有する薄板状部材である。これらの先羽根群７２ａ，７２ｂ，７２ｃは、機械的な先幕（メカ先幕）７２を構成する。なお、ここでは、３枚の先羽根群７２，７２ｂ，７２ｃによって「メカ先幕」が構成される場合を例示するが、これに限定されない。メカ先幕は、２枚以下或いは４枚以上の羽根によって構成されてもよい。
【００６７】
先羽根群７２ａ，７２ｂ，７２ｃは、いずれも、アーム７４ａに回転可能に結合されるとともに、アーム７４ｂにも回転可能に結合される。アーム７４ａは軸ＡＸ４を中心に回動可能であり、アーム７５ｂは軸ＡＸ５を中心に回動可能である。なお、ここでは軸ＡＸ４は軸ＡＸ２（後述）と同じ軸である。
【００６８】
図１３および図１４に示すように、アーム７４ａとアーム７４ｂとが所定の位置に存在するときには、先羽根群７２ａ，７２ｂ，７２ｃで構成される先幕が開口部ＯＰを閉鎖しており、先幕による「開口部ＯＰの閉鎖状態」が実現される。一方、この状態から、アーム７４ａが軸ＡＸ４（ＡＸ２）を中心に時計回りに回転すると、アーム７４ｂも軸ＡＸ５を中心に時計回りに回転する。そして、図６、図７、図１２および図１５に示されるように、先羽根群７２ａ，７２ｂ，７２ｃで構成される先幕７２が開口部ＯＰから退避する。すなわち、先幕による「開口部ＯＰの開放状態」が実現される。また逆に、図６に示す状態から、アーム７４ａが軸ＡＸ４を中心に反時計回りに回転すると、アーム７４ｂも軸ＡＸ５を中心に反時計回りに回転し、図１３の「開口部ＯＰの閉鎖状態」に移行する。
【００６９】
また、上記のアーム７４ａ，７４ｂ，７５ａ，７５ｂ、先幕７２および後幕７３は、次述する駆動機構８０によって駆動される。図８〜図１１は、それぞれ、駆動機構８０の一部の構成部品８２，８１，８３，８５（８４）を示す図である。また、図１２〜図１５は、駆動機構８０の一連の動作を示す図である。
【００７０】
図７等に示すように、駆動機構８０は、チャージ部材８１（図９）と先幕駆動部材８２（図８）と後幕駆動部材８３（図１０）とを備える。
【００７１】
これらの部材８１，８２，８３は、シャッタ地板７１ａの表（おもて）側（図６および図１２等の紙面に対する手前側）に設けられる。なお、後幕駆動部材８３は、後幕７３を露光開始位置から露光終了位置へと走行させる部材である。チャージ部材８１は、後幕駆動部材８３を軸ＡＸ３回りに回転させることによって、バネ８９（後述）による付勢力を増大（チャージ）させる部材である。
【００７２】
チャージ部材８１は、軸ＡＸ１を中心に回動することが可能な略板状の回転体である。また、先幕駆動部材８２は、軸ＡＸ２を中心に回動することが可能な略板状（略扇形形状）の回転体であり、後幕駆動部材８３は、軸ＡＸ３を中心に回動することが可能な略板状（略扇形形状）の回転体である。
【００７３】
チャージ部材８１と板状部材７１ｃ（図６参照）とはバネ８７（図７参照）によって結合されており、当該バネ８７は「反時計回り」の付勢力をチャージ部材８１に対して付与している。板状部材７１ｃは、固定用立設部材（不図示）を介してシャッタ地板７１ａの手前側（おもて側）においてシャッタ地板７１ａに対して略平行に固定される部材である。また、ここでは、バネ８７として、チャージ部材８１の円筒状立設部８１ｂ（図９参照）の外周に配置されるトーションバネ（ねじりバネ）が用いられる。
【００７４】
また、先幕駆動部材８２と板状部材７１ｃとはバネ８８（図７参照）によって結合されており、当該バネ８８は「時計回り」の付勢力を先幕駆動部材８２に対して付与している。ここでは、バネ８８として、先幕駆動部材８２の円筒状立設部８２ｂ（図８参照）の外周に配置されるトーションバネが用いられる。このバネ８８による時計回りの付勢力は、先幕７２を、図１４の位置（開口部ＯＰを覆う位置）から図１５の位置（開口部ＯＰから退避した位置）へと向かう向きに移動させる力として作用する。
【００７５】
同様に、後幕駆動部材８３と板状部材７１ｃとはバネ８９（図７参照）によって結合されており、当該バネ８９は「時計回り」の付勢力を後幕駆動部材８３に対して付与している。ここでは、バネ８９として、後幕駆動部材８３の円筒状立設部８３ｂ（図１０参照）の外周に配置されるトーションバネが用いられる。このバネ８９による時計回りの付勢力は、後幕７３を、図１５の位置（開口部ＯＰから退避した位置）から図１２の位置（開口部ＯＰを覆う位置）へと向かう向きに移動させる力として作用する。
【００７６】
図１０に示すように、後幕駆動部材８３は、円筒状立設部８３ｂに加えて、板部８３ｐとリンクピン８３ｎと突出部８３ｅと立設部８３ｇとを有している。
【００７７】
略扇形形状の後幕駆動部材８３は、その外周部側においてリンクピン８３ｎを有している。このリンクピン８３ｎは、後幕駆動部材８３の板部８３ｐの裏面からさらに奥側（裏側）に向けて立設されている。特に、リンクピン８３ｎは、シャッタ地板７１ａの長孔ＨＬ３、およびアーム７５ａに設けられた孔７５ｈ（図７参照）を貫通して設けられる。また、孔７５ｈの径とリンクピン８３ｎの径とはほぼ同一である。そのため、後幕駆動部材８３の軸ＡＸ３回りの回動動作に伴ってリンクピン８３ｎが移動すると、アーム７５ａがリンクピン８３ｎによって軸ＡＸ７（＝ＡＸ３）を中心に回動する。これにより、後羽根群７３ａ，７３ｂ，７３ｃの移動動作、すなわち「後幕」の開閉動作が実現される。このように、リンクピン８３ｎに連動して「後幕」が動作することによって、図６（図１２等も参照）の閉鎖状態と図７（図１４等も参照）の開放状態とが実現される。
【００７８】
また、後幕駆動部材８３は、チャージ部材８１側に突出する突出部（接触面）８３ｅを有している。突出部８３ｅは、チャージ部材８１が時計回りに回転すると、チャージ部材８１の突出部８１ｅと接触し、当該突出部８１ｅからの押圧力を受ける。そして、この押圧力は後幕駆動部材８３を反時計回りに回転させる。この押圧力の作用によって、後幕駆動部材８３は、バネ８９による（時計回りの）付勢力に抗して反時計回りに回転する。
【００７９】
また、板部８３ｐは、略扇形形状の後幕駆動部材８３の外周部付近において立設部８３ｇを有している。この立設部８３ｇは、板部８３ｐの表（おもて）面からさらにおもて側（図１２の紙面に対する手前側）に向けて立設されている。この立設部８３ｇには鉄片部材８３ｍが固定されている。
【００８０】
図１２の紙面に垂直な方向において鉄片部材８３ｍと同じ位置（すなわち同じ高さ）には、吸着部材８５（後述）が設けられている。当該吸着部材８５は、板状部材７１ｃに固定されている。
【００８１】
後幕駆動部材８３が、図１２の状態から反時計回りに回転し、図１３〜図１５に示す回転角度を有するときには、吸着部材８５に対向する鉄片部材８３ｍが当該吸着部材８５によって吸着される。これにより、後幕駆動部材８３の回転移動は抑止される。なお、後幕駆動部材８３が図１５等で示される位置に存在するときに吸着部材８５のコア吸着面８５ａが鉄片部材８３ｍに対向するように、吸着部材８５は配置されている。
【００８２】
同様に、図８に示すように、先幕駆動部材８２は、円筒状立設部８２ｂに加えて、板部８２ｐとリンクピン８２ｎと突出部８２ｃと立設部８２ｇとを有している。
【００８３】
略扇形形状の先幕駆動部材８２は、その外周部側においてリンクピン８２ｎを有している。このリンクピン８２ｎは、駆動部材８２の板部８２ｐの裏面からさらに奥側（裏側）に向けて立設されている。特に、リンクピン８２ｎは、シャッタ地板７１ａの長孔ＨＬ２、およびアーム７４ａに設けられた孔７４ｈ（図７参照）を貫通して設けられる。また、先幕駆動部材８２の軸ＡＸ２回りの回動動作に伴ってリンクピン８２ｎが移動すると、アーム７４ａがリンクピン８２ｎによって軸ＡＸ４（＝ＡＸ２）を中心に回動する。これにより、先羽根群７２ａ，７２ｂ，７２ｃの移動動作、すなわち「メカ先幕」の開閉動作が実現される。このように、リンクピン８２ｎに連動して「メカ先幕」が動作することによって、メカ先幕による開口部ＯＰの開放状態（図１２参照）とメカ先幕による開口部ＯＰの閉鎖状態（図１３参照）とが実現される。
【００８４】
また、先幕駆動部材８２は、チャージ部材８１側に突出する突出部（接触面）８２ｃを有している。突出部８２ｃは、チャージ部材８１が時計回りに回転すると、チャージ部材８１の突出部８１ｃと接触し、当該突出部８１ｃからの押圧力を受ける。そして、この押圧力は先幕駆動部材８２を反時計回りに回転させる。この押圧力の作用によって、先幕駆動部材８２は、バネ８８による（時計回りの）付勢力に抗して反時計回りに回転する。
【００８５】
また、板部８２ｐは、略扇形形状の外周部付近において立設部８２ｇを有している。この立設部８２ｇは、板部８２ｐの表（おもて）面からさらにおもて側（図１２の紙面に対する手前側）に向けて立設されている。この立設部８２ｇには鉄片部材８２ｍが固定されている。
【００８６】
図１２の紙面に垂直な方向において鉄片部材８２ｍと同じ位置（すなわち同じ高さ）には、吸着部材８４（後述）が設けられている。当該吸着部材８４は、板状部材７１ｃに固定されている。
【００８７】
先幕駆動部材８２が、図１２の状態から反時計回りに回転し、図１３（後述）に示す回転角度を有するときには、吸着部材８４に対向する鉄片部材８２ｍが当該吸着部材８４によって吸着される。これにより、先幕駆動部材８２の回転移動は抑止される。なお、先幕駆動部材８２が図１３等で示される位置に存在するときに吸着部材８４のコア吸着面８４ａが鉄片部材８２ｍに対向するように、吸着部材８４は配置されている。
【００８８】
図１１は、吸着部材８５を示す図である。図１１に示すように、吸着部材８５は、永久磁石８５ｃとコア８５ｂとボビン８５ｄとコイル８５ｅと端子８５ｆ，８５ｇとを有している。
【００８９】
コア８５ｂは、２つの脚部を有する略Ｕ字形状を有しており、当該コア８５ｂの両脚部の結合部分には永久磁石８５ｃが埋設されている。また、当該両脚部の端面は、当該永久磁石８５ｃの磁力によって被吸着物を吸着する吸着面（コア吸着面とも称する）８５ａとして機能する。
【００９０】
また、コア８５ｂの２つの脚部のうちの一方の脚部には、電磁石が設けられている。具体的には、コイル８５ｅが巻回されたボビン８５ｄが、当該一方の脚部に設けられており、コイル８５ｅの両端のそれぞれに接続された各端子８５ｆ，８５ｇがボビン８５ｄの表面に突設されている。端子８５ｆ、８５ｇの間に電圧が印加されると、コイル８５ｅは、磁束を発生する。すなわち、コイル８５ｅ等は電磁石として機能する。
【００９１】
このように、吸着部材８５は、「永久磁石」と「電磁石」とを有している。
【００９２】
ここにおいて、吸着部材８５は、電磁石への非通電時においては、永久磁石８５ｃの磁力によって被吸着物（例えば鉄片部材８３ｍ）を吸着する。なお、永久磁石８５ｃ等は吸着力を発生する吸着力発生部材であるとも表現される。
【００９３】
また、吸着部材８５は、電磁石への通電（コイル８５ｅへの通電）によって、コア吸着面８５ａにおける吸着力を変化させることが可能である。なお、このような電磁石等は、吸着力を低減する吸着力低減部材であるとも表現される。
【００９４】
具体的には、電磁石への当該通電時においては、永久磁石８５ｃの磁束を打ち消す向きの磁束を生成する電圧が、コイル８５ｅに印加される。そのため、コイル８５ｅへの通電時におけるコア吸着面８５ａの吸着力は、コイル８５ｅへの非通電時におけるコア吸着面８５ａの吸着力よりも低減される。すなわち、電磁石への通電時には、吸着部材８５は被吸着物を吸着しにくくなる。なお、吸着部材８５は、電磁石への非通電時に自らの永久磁石８５ｃの磁力で被吸着物を吸着するため、「自己保持型」の吸着部材であるとも表現される。
【００９５】
この実施形態においては、このような吸着部材８５を用い、電磁石に対する非通電状態において永久磁石８５ｃの磁力に基づく吸着力によって後幕駆動部材８３（詳細には鉄片部材８３ｍ）を保持する。これによって、ライブビュー時の消費電力の低減を図る。一方、電磁石への通電により、永久磁石８５ｃの磁束を打ち消す向きの磁束を生成して永久磁石８５ｃによる吸着力を低減して、後幕駆動部材８３の保持を解除する。これにより、バネ８９の付勢力により後幕駆動部材８３を駆動して、後幕７３を露光終了位置へ向けて直ちに駆動することが可能である。
【００９６】
なお、吸着部材８５の永久磁石８５ｃは、電磁石への非通電時には後幕駆動部材８３を保持する保持部材として機能する。また、吸着部材８５の電磁石は、当該電磁石への通電時に後幕駆動部材８３の保持を解除する保持解除部材として機能する。さらに、吸着部材８５は、永久磁石８５ｃの磁力に基づく吸着力を調整することによって、後幕駆動部材８３の保持機能と保持解除機能との双方を実現する吸着力調整部材であるとも表現される。
【００９７】
また、吸着部材８４も吸着部材８５と同様の構成を有している。具体的には、吸着部材８４は、永久磁石８４ｃとコア８４ｂとボビン８４ｄとコイル８４ｅと端子８４ｆ，８４ｇとを有している。そして、吸着部材８４は、電磁石への非通電時においては、永久磁石８４ｃの磁力によって被吸着物（例えば鉄片部材８２ｍ）を吸着する。一方、電磁石への通電時（コイル８４ｅへの通電時）においては、永久磁石８４ｃの磁束を打ち消す向きの磁束を生成する電圧が、コイル８４ｅに印加される。そのため、コイル８４ｅへの通電時におけるコア吸着面８４ａの吸着力は、コイル８４ｅへの非通電時におけるコア吸着面８４ａの吸着力よりも小さくなる。なお、吸着部材８４も、「自己保持型」の吸着部材であるとも表現される。
【００９８】
また、図９に示すように、チャージ部材８１は、円筒状立設部８１ｂに加えて、板部８１ｐと突出部８１ｃと突出部８１ｅと突出部８１ｆとを有している。
【００９９】
突出部８１ｆは、所定のリンク部材８６の先端部８６ｐと接触する。
【０１００】
リンク部材８６の先端部８６ｐ（図１２参照）が図１２の上下方向（図１３および図１４の矢印の方向）に移動すると、チャージ部材８１が軸ＡＸ１回りに回動して、チャージ部材８１の回転角度が変更される。
【０１０１】
チャージ部材８１が時計回りに回転するときには、チャージ部材８１の突出部８１ｃは先幕駆動部材８２の突出部８２ｃに接触し始める。そして、先幕駆動部材８２は、突出部８１ｃからの押圧力を受けて、軸ＡＸ２を中心に反時計回りに回転する。
【０１０２】
同様に、チャージ部材８１が時計回りに回転するときには、チャージ部材８１の突出部８１ｅは後幕駆動部材８３の突出部８３ｅに接触し始める。そして、後幕駆動部材８３は、突出部８１ｅからの押圧力を受けて、軸ＡＸ３を中心に反時計回りに回転する。
【０１０３】
なお、突出部８１ｃ，８１ｅは、突出部８２ｃ，８３ｅをそれぞれ押し動かす「押動部」であるとも表現され、突出部８２ｃ，８３ｅは、突出部８１ｃ，８１ｅによってそれぞれ押し動かされる「被押動部」であるとも表現される。
【０１０４】
＜５．シャッタ装置の動作＞
つぎに、図１２〜図１６等を参照しながら、シャッタ装置７等の動作について説明する。ここでは、ライブビューモードの撮影時におけるシャッタ装置７等の動作を説明する。図１６は、ライブビューモード時の撮影動作に関するタイムチャートである。また、上述したように、図１２〜図１５は、駆動機構８０の一連の動作を示す図である。より詳細には、図１２は、或る本撮影画像に関する露光動作の完了直後の状態ＳＴａを示す図であり、図１３は、バネチャージ完了直後の状態ＳＴｃを示す図である。また、図１４は、チャージ部材８１の復帰状態ＳＴｅを示す図であり、図１５はＥＶＦモード時における次の本撮影画像に係る露光動作の開始直前の状態ＳＴｖを示す図である。
【０１０５】
まず図１５を参照する。図１５は、ライブビュー時におけるシャッタ装置７の状態ＳＴｖを示している。図１５に示すように、ライブビュー時には、後幕駆動部材８３の鉄片部材８３ｍが吸着部材８５（詳細にはコア吸着面８５ａ）に吸着され停止している。このとき、後幕７３は、開口部ＯＰを覆わないように退避位置（露光開始位置）に維持された状態で停止している。また、ライブビュー時には、先幕７２も、開口部ＯＰを覆わないように退避位置で停止している。ただし、このとき、先幕駆動部材８２の鉄片部材８２ｍは、吸着部材８４によって吸着されていない。具体的には、先幕駆動部材８２は、バネ８８による時計回りの付勢力を受けて回転し、長孔ＨＬ２の一端側（図の右上側の停止端）にリンクピン８２ｎが当接する位置にまで移動した状態で、停止している。
【０１０６】
このように状態ＳＴｖにおいては、先幕と後幕との双方が、開口部ＯＰを覆わない位置に退避している。そして、開口部ＯＰを通過した被写体像に関する時系列の画像が撮像素子５によって順次に取得される。このとき、吸着部材８５の永久磁石８５ｃの磁力に基づく吸着力で、バネ８９による時計回りの付勢力が相殺されて、後幕駆動部材８３が図１５の位置で保持され、後幕が露光開始位置に維持されている。そのため、後幕駆動部材８３を保持するために吸着部材８５に通電することを要しない。したがって、ライブビュー時の省電力化を図ることが可能である。
【０１０７】
さて、この状態ＳＴｖ（図１５）において、本撮影画像に関する撮影指令が付与されると、本撮影画像の取得に向けた動作が開始される。具体的には、レリーズボタン１１が全押し状態Ｓ２（時刻Ｔ１０（図１６））にされると、まず、撮影レンズユニット３内の絞り調整動作が実行される。そして、露光開始の準備が整うと、露光動作が時刻Ｔ１２（図１６）から開始される。時刻Ｔ１２は、レリーズボタン１１が全押し状態Ｓ２にされた時刻Ｔ１０から微小時間が経過した時刻である。
【０１０８】
ここでは、ＥＶＦモードにおける露光動作は、「メカ先幕」ではなく「電子先幕」を利用して実行されるものとする。
【０１０９】
具体的には、時刻Ｔ１２において電子先幕が走行を始めるとともに、所定期間（例えば１／１００秒）経過後の時刻Ｔ１４において当該電子先幕を追いかけるようにメカ後幕が走行を開始する。これにより、電子先幕とメカ後幕との走行開始時間差に応じた露光期間にわたる露光動作が実行され、時刻Ｔ２０において当該露光動作が完了する。この時刻Ｔ２０においては、シャッタ装置７は状態ＳＴａ（図１２）を有している。
【０１１０】
時刻Ｔ１４から時刻Ｔ２０までの期間において、状態ＳＴｖ（図１５）から状態ＳＴａ（図１２）への遷移動作が実行される。まず、この遷移動作について説明する。
【０１１１】
詳細には、時刻Ｔ１４において、吸着部材８５のコイル８５ｅへの通電が開始される。この通電開始に応じてコイル８５ｅは永久磁石８５ｃの磁力と逆向きの磁力を発生する。このため、コア吸着面８５ａにおける吸着力が低減し、当該吸着力はバネ８９による時計回りの付勢力よりも小さくなる。この結果、後幕駆動部材８３の鉄片部材８３ｍは吸着部材８５のコア吸着面８５ａから離反を開始し、後幕駆動部材８３は軸ＡＸ３を中心に時計回りに回転する。このようにして、吸着部材８５による後幕駆動部材８３の保持が解除される。また、コイル８５ｅへの通電は微小時間で終了し、コイル８５ｅへの通電は再び停止される。なお、吸着部材８５のコイル８５ｅに対する通電は、本撮影画像に関する構図決め動作が開始されてから、当該本撮影画像に関する露光動作が完了し次の本撮影画像に関する構図決め動作が開始されるまでの期間において、後幕を走行させるときにのみ行われる。例えば、図１６の時刻Ｔ５から時刻Ｔ２８までの期間においては、時刻Ｔ１４から時刻Ｔ２０（詳細には時刻Ｔ２０の直前の時刻Ｔ１９）までの一部期間にのみ、コイル８５ｅに対して通電される。
【０１１２】
また、後幕駆動部材８３の移動動作に伴ってリンクピン８３ｎが長孔ＨＬ３に沿って移動する。当該リンクピン８３ｎは当該長孔ＨＬ３の上端部にまで移動すると停止する（図１２参照）。当該リンクピン８３ｎの移動に伴って、アーム７５ａが軸ＡＸ７（ＡＸ３）を中心に時計回りに回動して、後羽根群７３ａ，７３ｂ，７３ｃが露光終了位置（換言すれば、開口部ＯＰの閉鎖位置）にまで移動する。これにより、図１２の状態ＳＴａに移行し、「後幕」の閉鎖動作が実現される。
【０１１３】
このように、電子先幕が走行した後に、所定のタイミングで吸着部材８５への通電が開始されることによって、さらに後幕（詳細にはメカニカル後幕（メカ後幕とも略称する））が走行する。このようにして、いわゆる「電子先幕」および「メカ後幕」によるシャッタ動作が実行され、各画素を所定期間ＴＭにわたって露光する露光動作が実現される。
【０１１４】
以上のようにして、図１５の状態ＳＴｖから、図１２の露光終了直後の状態ＳＴａへの遷移動作が実現される。
【０１１５】
つぎに、時刻Ｔ２０から時刻Ｔ２６までの期間において撮像素子５からの画素データの読出処理（撮像素子の電荷転送処理等）が実行される。なお、読み出された画素データに基づいて、本撮影画像の画像データが生成される。また、時刻Ｔ２０から時刻Ｔ２６までの期間においては、絞りを開放状態へ復帰させる動作等が実行される。
【０１１６】
時刻Ｔ２０から時刻Ｔ２６までの期間においては、状態ＳＴａ（図１２）から状態ＳＴｃ（図１３）への遷移動作と、状態ＳＴｃ（図１３）から状態ＳＴｅ（図１４）への遷移動作とが順次に実行される。なお、時刻Ｔ２０から時刻Ｔ２６までの期間は画素データの読み出し期間である、とも表現される。当該期間においては、撮像素子５における多重露光を防止するため、後幕と先幕との少なくとも一方が開口部ＯＰを覆うように、後幕および先幕が移動される。
【０１１７】
まず、前者の遷移動作、すなわち、状態ＳＴａ（図１２）から状態ＳＴｃ（図１３）への遷移動作について説明する。この前者の遷移動作は、時刻Ｔ２０から時刻Ｔ２２までの期間に実行される。
【０１１８】
リンク部材８６の先端部８６ｐがチャージ部材８１の突出部８１ｆに接触しながら図１２の上向きに移動すると、チャージ部材８１が軸ＡＸ１を中心に時計回りに回転移動する。
【０１１９】
この回転に伴って、突出部８１ｃが先幕駆動部材８２の突出部８２ｃを押し、先幕駆動部材８２に押圧力が伝達される。この押圧力によって、先幕駆動部材８２が軸ＡＸ２を中心に反時計回りに回転し始める。先幕駆動部材８２の当該回転動作は、鉄片部材８２ｍが吸着部材８４のコア吸着面８４ａに当接し吸着された後に停止する（図１３参照）。この回転動作により、バネ８８の付勢力は増大される。換言すれば、バネ８８がチャージされる。なお、先幕駆動部材８２の回転動作中においては、チャージ部材８１の板部８１ｐが、図１２の紙面に垂直な方向において、先幕駆動部材８２の板部８２ｐとシャッタ地板７１ａとの間を通過し、板部８１ｐと板部８２ｐとの干渉が回避される。
【０１２０】
また、このような先幕駆動部材８２の回転動作に応じて、リンクピン８２ｎが円弧状の長孔ＨＬ２に沿って移動し、アーム７４ａが軸ＡＸ４（＝ＡＸ２）を中心に反時計回りに回動する。これにより、先羽根群７２ａ，７２ｂ，７２ｃが開口部ＯＰの下側の位置にまで移動する。すなわち「メカ先幕」による開口部ＯＰの閉鎖状態が実現される。なお、永久磁石８４ｃの磁力により吸着部材８４が鉄片部材８２ｍを吸着するため、コイル８４ｅに対する非通電状態で先幕駆動部材８２および先幕７２は停止し続ける。
【０１２１】
このようして、チャージ部材８１の回転移動に伴って、先幕駆動部材８２および先幕７２の移動動作が実行される。
【０１２２】
また、チャージ部材８１の回転移動に伴って、先幕駆動部材８２および先幕７２に関する上記の移動動作と同時に（並行して）、後幕駆動部材８３および後幕７３の移動動作も実行される。
【０１２３】
具体的には、突出部８１ｅが後幕駆動部材８３の突出部８３ｅを押し始めると、チャージ部材８１から後幕駆動部材８３へと伝達される押圧力によって、後幕駆動部材８３が軸ＡＸ３を中心に反時計回りに回転し始める。後幕駆動部材８３の当該回転動作は、鉄片部材８３ｍが吸着部材８５のコア吸着面８５ａに当接し吸着された後に停止する（図１３参照）。この回転動作により、バネ８９の付勢力は増大される。換言すれば、バネ８９がチャージされる。
【０１２４】
また、このような後幕駆動部材８３の回転動作に応じて、リンクピン８３ｎが円弧状の長孔ＨＬ３に沿って移動し、アーム７５ａが軸ＡＸ７（＝ＡＸ３）を中心に反時計回りに回動する。これにより、後羽根群７３ａ，７３ｂ，７３ｃが開口部ＯＰの下側の位置、すなわち露光開始位置（換言すれば、開口部ＯＰの開放位置）にまで移動する。なお、永久磁石８５ｃの磁力により吸着部材８５が鉄片部材８３ｍを吸着するため、コイル８５ｅに対する非通電状態で後幕駆動部材８３および後幕７３は停止し続ける。すなわち、後幕駆動部材８３および後幕７３は、永久磁石８４ｃの磁力により図１３の位置に保持される。
【０１２５】
このような後幕７３の移動動作は、先幕７２の移動動作と同時に行われる。詳細には、後幕７３と先幕７２との少なくとも一方が開口部ＯＰを覆うように、後幕７３および先幕７２が移動される。これによれば、撮像素子５における多重露光が防止される。より具体的には、後幕７３と先幕７２とが常に重複部分を有する状態で、後幕７３の移動動作と先幕７２の移動動作とが同時に実行されることが好ましい。
【０１２６】
つぎに、状態ＳＴｃ（図１３）から状態ＳＴｅ（図１４）への遷移動作について説明する。この遷移動作においては、チャージ部材８１のリセット動作が実行される。当該リセット動作は、時刻Ｔ２２から時刻Ｔ２４までの期間に実行される。
【０１２７】
具体的には、リンク部材８６の先端部８６ｐが図１３の下向きに移動する。これに応じてリンク部材８６からチャージ部材８１への押圧力が低下するため、バネ８７の反時計回りの付勢力によって、チャージ部材８１が軸ＡＸ１を中心に反時計回りに回転移動する。
【０１２８】
状態ＳＴｅにおいても、永久磁石８４ｃの磁力により鉄片部材８２ｍがコア吸着面８４ａに吸着され続け、永久磁石８５ｃの磁力により鉄片部材８３ｍが吸着部材８５のコア吸着面８５ａに吸着され続ける。そのため、コイル８４ｅに対する非通電状態で先幕駆動部材８２および先幕７２は停止し続け、コイル８５ｅに対する非通電状態で後幕駆動部材８３および後幕７３は停止し続ける。また、チャージ部材８１は、先幕駆動部材８２から離反するとともに、後幕駆動部材８３からも離反する。換言すれば、チャージ部材８１は、退避位置に移動する。また、チャージ部材８１の退避位置に移動した後においても、後幕駆動部材８３は永久磁石８５ｃの磁力で所定位置に保持され続ける。なお、この保持動作は、少なくとも、チャージ部材８１の退避位置への移動開始時点から本撮影画像の画素データの読出処理の終了時点（次述）までを含む期間において、継続される。
【０１２９】
その後、撮像素子５からの画素データの読出処理（撮像素子の電荷転送処理等）が終了すると、状態ＳＴｖへの復帰動作が時刻Ｔ２６（図１６）から開始される。すなわち、状態ＳＴｅ（図１４）から状態ＳＴｖ（図１５）への遷移動作が実行される。次に、この遷移動作について説明する。
【０１３０】
具体的には、時刻Ｔ２６において、吸着部材８４のコイル８４ｅへの通電が開始される。この通電開始に応じてコイル８４ｅは永久磁石８４ｃの磁束と逆向きの磁束を発生する。このため、コア吸着面８４ａにおける吸着力が低減し、当該吸着力はバネ８８による時計回りの付勢力よりも小さくなる。この結果、先幕駆動部材８２の鉄片部材８２ｍは吸着部材８４のコア吸着面８４ａから離反を開始し、先幕駆動部材８２は軸ＡＸ２を中心に時計回りに回転する。また、先幕駆動部材８２の移動動作に伴ってリンクピン８２ｎが長孔ＨＬ２に沿って移動する。当該リンクピン８２ｎは当該長孔ＨＬ２の右上側の端部にまで移動すると停止する（図１５参照）。当該リンクピン８２ｎの移動に伴って、アーム７４ａが軸ＡＸ４（ＡＸ２）を中心に時計回りに回動して、先羽根群７２ａ，７２ｂ，７２ｃが開口部ＯＰの上側位置（開口部ＯＰを覆わない位置）にまで移動する（時刻Ｔ２８）。これにより、図１５の状態ＳＴｖに移行し、開口部ＯＰの開放状態が実現される。
【０１３１】
このような先幕７２の移動動作の完了時点Ｔ２８の後において、ライブビュー動作が実行される。具体的には、開口部ＯＰを通過した被写体像に関する時系列の画像が撮像素子５によって順次に取得される。そして、当該時系列の画像が背面モニタ１２において順次に表示される。
【０１３２】
このような動作によれば、上述したように、ライブビュー動作時においては、後幕駆動部材８３の鉄片部材８３ｍが吸着部材８５の永久磁石８５ｃの磁力によって吸着されている。そのため、後幕駆動部材８３を保持するために吸着部材８５に通電することを要しない。したがって、ライブビュー時の省電力化を図ることが可能である。特に、ライブビュー期間は非常に長いため、ライブビュー時における消費電力の低減効果は非常に大きい。
【０１３３】
このような効果に関してさらに説明する。
【０１３４】
ここでは、上述の特許文献１に記載の技術のようなシャッタ装置（すなわち、電磁石に対する通電を伴って後幕を露光開始位置に維持するシャッタ装置）を用いてライブビューを行う技術を比較例として想定する。図１７は、当該比較例に係るシャッタ装置の動作を示すタイミングチャートである。
【０１３５】
図１７に示すように、このような比較例においては、時刻Ｔ２８以後のライブビュー動作において、後幕を露光開始位置に維持するため、電磁石に対する通電を継続する必要がある。このような通電に伴う消費電力は多大である。
【０１３６】
一方、上記の実施形態に係る撮像装置１によれば、時刻Ｔ２８以後のライブビュー動作において、電磁石に対する通電を行うことなく、後幕を露光開始位置に維持することが可能である。したがって、上記比較例と比べて消費電力を抑制することができる。
【０１３７】
また、上述の特許文献２に記載の技術においては、押圧力による後幕駆動部材の保持を解除するための時間をレリーズボタン押下後に設けることを要する。具体的には、一旦、後幕駆動部材に対する押圧力を加えていたチャージ部材を退避位置にまで移動させる動作が、レリーズボタン押下（全押し状態Ｓ２）後に行われる。このため、所謂レリーズタイムラグが長大化するという問題が存在する。例えば、後幕駆動部材の保持解除に要する時間が上述の絞り変更動作に要する時間（時刻Ｔ１０から時刻Ｔ１２までの時間）よりも長い場合などにおいては、いわゆるレリーズタイムラグが増大する。
【０１３８】
これに対して、上記実施形態に係る撮像装置１は、永久磁石８５ｃによって後幕駆動部材８３を保持しており、特許文献２に記載の技術のような押圧力を用いた後幕保持機構を有していない。そのため、後幕駆動部材の保持を解除するための時間を設けることを要しない。上記実施形態に係る撮像装置１においては、基本的には、レリーズボタン１１が全押し状態Ｓ２にされた後において、吸着部材８５のコイル８５ｅへの通電を開始することによって、後幕の走行を直ちに開始することができる。したがって、いわゆるレリーズタイムラグの増大を回避することが可能である。なお、上記実施形態においては、絞り変更動作の完了を待ってから露光動作を開始する場合が例示されているが、このような場合でも、レリーズタイムラグを最小限の値（絞り変更動作に要する時間）に止めることが可能である。
【０１３９】
＜６．その他＞
以上、この発明の実施の形態について説明したが、この発明は上記説明した内容のものに限定されるものではない。
【０１４０】
たとえば、上記実施形態においては、電子先幕を擬似的に走行させること（撮像素子５におけるラインごとのリセット動作を所定方向に順次に実行していく動作等）によって露光動作を開始する場合を例示したが、これに限定されない。具体的には、メカ先幕を実際に（物理的に）走行させることによって露光動作を開始するようにしてもよい。換言すれば、本撮影画像に関する露光動作は、電子先幕を伴うものであってもよく、あるいは、メカ先幕を伴うもの等であってもよい。
【０１４１】
また、上記実施形態においては、吸着部材８４の永久磁石の磁力を用いて、先幕７２を図１５の位置に維持する場合を例示したが、これに限定されない。例えば、永久磁石を有さず且つ電磁石を有する吸着部材を用いて、先幕７２を図１５の位置に維持するようにしてもよい。端的に言えば、当該電磁石に通電することによって磁力（吸着力）を発生させて、先幕７２を図１５の位置に維持するようにしてもよい。
【０１４２】
また、上記実施形態においては、絞り値を変更する動作（図１６参照）が実行される場合を例示したが、これに限定されない。例えば、絞り値を所定の値（撮影レンズユニットの開放値等）で固定しておき、本撮影動作において絞り値を変更しない場合に、上記の思想を適用するようにしてもよい。特にこの場合には、絞り値の変更動作を行うことを要しないため、レリーズボタン１１が全押し状態Ｓ２にされた直後に露光動作を開始することができる。
【０１４３】
例えば、絞り優先モードにおいて絞り値が撮影レンズユニット３の開放値に設定されたときには、操作者からの撮影開始指示に応答して、撮像素子に関する本撮影用画像の露光動作を直ちに開始させる。そして、当該露光動作の開始から所定時間（シャッタスピードに応じた時間）経過後に吸着部材８５の電磁石への通電を開始して後幕の走行を開始する。
【０１４４】
このときには、特に、図１６のような絞り値の変更動作（時刻Ｔ１０〜時刻Ｔ１２）を伴わないため、レリーズボタン１１が全押し状態Ｓ２にされた直後に露光動作を開始することができる。すなわち、レリーズタイムラグを非常に微小な時間（理想的にはゼロ）に抑制することが可能である。
【０１４５】
なお、特許文献２に記載の技術のように押圧力による後幕保持機構によって後幕を保持する場合には、絞り値の変更動作を伴わない場合であっても、当該保持機構の保持を解除するための時間をレリーズボタン押下後に設けることを要する。すなわち、絞り値の変更動作を伴わない場合にも、無用なタイムラグが生じる。
【０１４６】
これに対して、上記のような変形例に係る技術によれば、保持解除動作の完了を待たずに直ちに露光動作を開始することができるので、上記のような無用なレリーズタイムラグの発生を回避することが可能である。
【０１４７】
また、上記実施形態においては、静止画撮影時における構図決め動作等において本発明の思想を適用する場合について例示したが、本発明はこれに限定されない。ライブビュー画像以外の動画像を撮影する際にも上述の思想を適用することができる。
【図面の簡単な説明】
【０１４８】
【図１】撮像装置の正面外観図である。
【図２】撮像装置の背面外観図である。
【図３】撮像装置の機能構成を示すブロック図である。
【図４】撮像装置の断面図である（ミラーダウン状態）。
【図５】撮像装置の断面図である（ミラーアップ状態）。
【図６】シャッタ装置の構成を示す平面図である。
【図７】シャッタ装置の構成を示す斜視図である。
【図８】或る構成部品を示す図である。
【図９】別の構成部品を示す図である。
【図１０】更に別の構成部品を示す図である。
【図１１】吸着部材を示す図である。
【図１２】露光動作完了直後におけるシャッタ装置の状態を示す図である。
【図１３】バネチャージ完了直後におけるシャッタ装置の状態を示す図である。
【図１４】チャージ部材の復帰時におけるシャッタ装置の状態を示す図である。
【図１５】ライブビュー実行時におけるシャッタ装置の状態を示す図である。
【図１６】ライブビューモード時の撮影動作に関するタイムチャートである。
【図１７】比較例に係る動作を示すタイムチャートである。
【符号の説明】
【０１４９】
１  撮像装置
５  撮像素子
７  シャッタ装置
７１ａ，７１ｂ  シャッタ地板
７２  先幕
７３  後幕
８０  駆動機構
８１  チャージ部材
８２  先幕駆動部材
８３  後幕駆動部材
８４，８５  吸着部材
８４ａ，８５ａ  コア吸着面
８４ｂ，８５ｂ  コア
８４ｃ，８５ｃ  永久磁石
８４ｅ，８５ｅ  コイル
８７，８８，８９  バネ
【図１】
2010152000.tif 000003
【図２】
2010152000.tif 000004
【図３】
2010152000.tif 000005
【図４】
2010152000.tif 000006
【図５】
2010152000.tif 000007
【図６】
2010152000.tif 000008
【図７】
2010152000.tif 000009
【図８】
2010152000.tif 000010
【図９】
2010152000.tif 000011
【図１０】
2010152000.tif 000012
【図１１】
2010152000.tif 000013
【図１２】
2010152000.tif 000014
【図１３】
2010152000.tif 000015
【図１４】
2010152000.tif 000016
【図１５】
2010152000.tif 000017
【図１６】
2010152000.tif 000018
【図１７】
2010152000.tif 000019